(57)【要約】      （修正有）【課題】ネットワークとの接続、モバイル電源供給、及びモバイル保存機能を有する電子装置を提供する。【解決手段】ネットワーク接続モジュール２と、モバイル保存モジュール４と、これらに電源を供給する電源供給モジュール３を包含する。ネットワーク接続モジュール２は、信号回路２１とネットワーク接続インタフェースを含み、モバイル保存モジュール４は、メモリカードスロット４１及びメモリカード４２を含む。【選択図】図１
0003177863.tif 000002
【実用新案登録請求の範囲】
【請求項１】
整合サービス環境において応用される電子装置において、
ネットワーク接続モジュールであって、信号回路、及び、ＲＪ−４５インタフェース及びＵＳＢインタフェースとされるネットワーク接続インタフェースを包含し、該信号回路はＷｉＦｉ通信機能を提供でき、ＲＪ−４５インタフェースとされた該ネットワーク接続インタフェースは有線ネットワークとの接続に用いられて、該ネットワーク接続モジュールはインターネットに接続可能であり、該信号回路は並びにＲＪ−４５インタフェースとされた該ネットワーク接続インタフェースを介して信号をワイヤレスＷｉＦｉ信号に変換し、並びに発射／受信する、上記ネットワーク接続モジュールと、
電源供給モジュールであって、該ネットワーク接続モジュールのＵＳＢインタフェースとされた該ネットワーク接続インタフェースを利用して充電動作し、充電後に外部電源に接続されない時、電源を該ネットワーク接続モジュール、及びモバイル保存モジュールに供給する、上記電源供給モジュールと、
モバイル保存モジュールであって、メモリカードスロット及び又は内部メモリカードを具え、該内部メモリカード及び又は外部のメモリカードに対してデータの読み取り或いは書込み動作を行う、上記モバイル保存モジュールと、
を包含することを特徴とする、電子装置。
【請求項２】
請求項１記載の電子装置において、ＵＳＢドライブが、該ネットワーク接続モジュールのＵＳＢインタフェースとされた該ネットワーク接続インタフェースに接続され、ＵＳＢインタフェースとされた該ネットワーク接続インタフェースを介して、該モバイル保存モジュールの該内部メモリカード及び又は該外部のメモリカードとデータの読み取り或いは書込み或いは交互保存の動作を行うことを特徴とする、電子装置。
【請求項３】
請求項１記載の電子装置において、ハンドヘルド式電子装置が、該ネットワーク接続モジュールのＵＳＢインタフェースとされた該ネットワーク接続インタフェースに接続され、ＵＳＢインタフェースとされた該ネットワーク接続インタフェースを介して及び又は該信号回路を介して、ＷｉＦｉ通信を行ない、該モバイル保存モジュールの該内部メモリカード及び又は該外部のメモリカードとデータの読み取り或いは書込み或いは交互保存の動作を行うことを特徴とする、電子装置。
【請求項４】
請求項２記載の電子装置において、該ＵＳＢドライブが、ＲＪ−４５インタフェースとされた該ネットワーク接続インタフェースを介してデータをインターネットに伝送し、ＵＳＢインタフェースとされた該ネットワーク接続インタフェースを介して及び又は該信号回路を介してＷｉＦｉ通信を行ない、該ＵＳＢドライブに対してデータの読み取り或いは書込み動作を行うことを特徴とする、電子装置。
【請求項５】
請求項３記載の電子装置において、該ハンドヘルド式電子装置が、ＲＪ−４５インタフェースとされた該ネットワーク接続インタフェースを介してデータをインターネットに伝送し、ＵＳＢインタフェースとされた該ネットワーク接続インタフェースを介して及び又は該信号回路を介してＷｉＦｉ通信を行ない、該モバイル保存モジュールの該内部メモリカード及び又は該外部のメモリカードと、データの読み取り或いは書込み或いは交互保存の動作を行うことを特徴とする、電子装置。
【請求項６】
整合サービス環境において応用される電子装置において、
ネットワーク接続モジュールであって、信号回路、及び、ＲＪ−４５インタフェース及びＵＳＢインタフェースとされるネットワーク接続インタフェースを包含し、該信号回路はＷｉＦｉ通信機能を提供でき、ＲＪ−４５インタフェースとされた該ネットワーク接続インタフェースは有線ネットワークとの接続に用いられて、該ネットワーク接続モジュールはインターネットに接続可能であり、該信号回路はＲＪ−４５インタフェースとされた該ネットワーク接続インタフェースを介して信号をワイヤレスＷｉＦｉ信号に変換し、並びに発射／受信する、上記ネットワーク接続モジュールと、
電源供給モジュールであって、該電源供給モジュールの入力インタフェースが外部電源と接続可能で、該外部電源の交流電源を利用し、該入力インタフェースを介して該電源供給モジュールに対して充電し、充電後に外部電源に接続されない時、電源を該ネットワーク接続モジュール、及びモバイル保存モジュールに供給する、上記電源供給モジュールと、
モバイル保存モジュールであって、メモリカードスロット及び又は内部メモリカードを具え、該内部メモリカード及び又は外部のメモリカードに対してデータの読み取り或いは書込み動作を行う、上記モバイル保存モジュールと、
を包含することを特徴とする、電子装置。
【請求項７】
請求項６記載の電子装置において、ＵＳＢドライブが、該ネットワーク接続モジュールのＵＳＢインタフェースとされた該ネットワーク接続インタフェースに接続され、ＵＳＢインタフェースとされた該ネットワーク接続インタフェースを介して、該モバイル保存モジュールの該内部メモリカード及び又は該外部のメモリカードとデータの読み取り或いは書込み或いは交互保存の動作を行い、該入力インタフェースを介して入力される該交流電源が導通する時、該電源供給モジュールは入力した該交流電源を直流電源に変換し、電池に対して充電又は電源保存を行ない、並びにＬＥＤランプを利用して該電池の電源の余剰状況を表示することを特徴とする、電子装置。
【請求項８】
請求項６記載の電子装置において、ハンドヘルド式電子装置が、該ネットワーク接続モジュールのＵＳＢインタフェースとされた該ネットワーク接続インタフェースに接続され、ＵＳＢインタフェースとされた該ネットワーク接続インタフェースを介して及び又は該信号回路を介して、ＷｉＦｉ通信を行ない、該モバイル保存モジュールの該内部メモリカード及び又は該外部のメモリカードとデータの読み取り或いは書込み或いは交互保存の動作を行い、該入力インタフェースを介して入力される該交流電源が導通する時、該電源供給モジュールは入力した該交流電源を直流電源に変換し、電池に対して充電又は電源保存を行ない、並びにＬＥＤランプを利用して該電池の電源の余剰状況を表示するか、該ネットワーク接続モジュールのＵＳＢインタフェースとされた該ネットワーク接続インタフェースを介して、接続された該ハンドヘルド式電子装置に対して充電することを特徴とする、電子装置。
【請求項９】
請求項７記載の電子装置において、該ＵＳＢドライブはＲＪ−４５インタフェースとされた該ネットワーク接続インタフェースを介して、データをインターネットに伝送し、ＵＳＢインタフェースとされた該ネットワーク接続インタフェースを介して及び又は信号回路を介してＷｉＦｉ通信を行ない、ＵＳＢドライブに対してデータの読み取り或いは書込み動作を行うことを特徴とする、電子装置。
【請求項１０】
請求項８記載の電子装置において、該ハンドヘルド式電子装置はＲＪ−４５インタフェースとされた該ネットワーク接続インタフェースを介して、データをインターネットに伝送し、ＵＳＢインタフェースとされた該ネットワーク接続インタフェースを介して及び又は信号回路を介してＷｉＦｉ通信を行ない、該モバイル保存モジュールの該内部メモリカード及び又は該外部のメモリカードに対して、データの読み取り或いは書込み或いは交互保存の動作を行うことを特徴とする、電子装置。
【考案の詳細な説明】
【技術分野】
【０００１】
本考案は電子装置に係り、更に詳しくは、一種の、整合サービス環境において応用される電子装置であって、使用者が該電子装置を利用するだけでネットワークとの接続、モバイル電源供給、及びモバイル保存の整合性サービスを享受できるものに関する。
【背景技術】
【０００２】
現在、使用者はモバイル式電子装置を使用する時には、必要な機能により、必要な電子装置を選択する必要がある。たとえば、使用者がモバイル電源供給要求を有するときは、モバイル電源装置を携行する必要があり、また、使用者がネットワークアクセスを必要とするときは、ネットワーク接続装置を配備することで、その要求を満足させる。さらに、使用者がモバイルデータ保存要求を有するときは、モバイル保存装置、たとえばモバイルディスクを具備する必要がある。
【０００３】
言い換えると、現在の電子装置に関しては、ネットワーク接続サービス、モバイル電源供給サービス、及びモバイル保存サービスを整合させた電子装置は未だなく、各電子装置はそれ自身の単一の機能しか有さず、使用者は複数の電子装置を携行しなければ、要求を満たすことができない。ただし、このような状況は、使用者にとって非常に不便である。
【０００４】
ゆえに、使用者が、ネットワーク接続、モバイル電源供給、及びモバイル保存の整合性サービスを得るために使用でき、複数の電子装置を携行する必要を無くせる電子装置が求められている。
【考案の概要】
【考案が解決しようとする課題】
【０００５】
本考案は一種の電子装置を提供することを目的とし、それは、整合サービス環境において応用され、使用者が該電子装置を使用することで、ネットワーク接続、モバイル電源供給、及びモバイル保存の整合性サービスを得られるものとする。
【課題を解決するための手段】
【０００６】
以上の目的を達成するため、本考案の提供する電子装置は、ネットワーク接続モジュール、電源供給モジュール、及びモバイル保存モジュールを包含する。
【０００７】  該ネットワーク接続モジュールは、信号回路、及びネットワーク接続インタフェースを包含し、該信号回路はＷｉＦｉ通信機能を提供でき、ネットワーク接続インタフェースは有線ネットワークとの接続に用いられる。そのうち、該ネットワーク接続インタフェースは、たとえばＲＪ−４５インタフェースとされ、該ネットワーク接続モジュールはインターネットに接続可能である。該信号回路は並びにＲＪ−４５インタフェースを介して信号をワイヤレスＷｉＦｉ信号に変換し、並びに発射／受信する。また、ＵＳＢドライブ、ハンドヘルド式電子装置（たとえば携帯電話、（公序良俗違反につき、不掲載））、ＰＣ、ノートブック型コンピュータのデータを、ＲＪ−４５インタフェースを介してインターネットに伝送することができる。また、たとえば、ネットワーク接続インタフェースはＵＳＢインタフェースとされ、ＵＳＢドライブを接続し、ＵＳＢインタフェース及び又は信号回路を介してＷｉＦｉ通信を実行し、ＵＳＢドライブとデータの読み取り或いは書込み動作を行える。【０００８】
電源供給モジュールは、該電源供給モジュールの入力インタフェースが外部電源と接続可能で、外部電源の１１０Ｖから２４０Ｖの交流電源を利用し、入力インタフェースを介して、該電源供給モジュールに対して充電を行ない、充電後に交流電源に接続しない時、電源をネットワーク接続モジュール、及びモバイル保存モジュールに提供する。
【０００９】  入力インタフェースが入力する交流電源が導通するとき、該電源供給モジュールは入力した交流電源を直流電源に変換し、電池に対して充電／電源保存し、並びにＬＥＤランプを利用して電池電源の余剰状況を表示し、或いはネットワーク接続モジュールのＵＳＢインタフェースとされたネットワーク接続インタフェースを介して、該ネットワーク接続インタフェース（ＵＳＢインタフェース）と接続されたその他の電源を必要とするハンドヘルド式電子装置（たとえば、携帯電話、（公序良俗違反につき、不掲載））に対して充電を行う。【００１０】
また、入力インタフェースは選択可能な機能とされ、言い換えると、電源供給モジュールは必ずしも入力インタフェースを具備する必要はなく、ネットワーク接続モジュールのＵＳＢインタフェースとされたネットワーク接続インタフェースを利用することで、充電動作を行える。
【００１１】  モバイル保存モジュールは、メモリカードスロット及び又はメモリカードを具え、その内部のメモリカード及び又は外部のメモリカードに対してデータの読み取り或いは書込みの動作を行う。また、ＵＳＢドライブ、ハンドヘルド式電子装置（たとえば携帯電話、（公序良俗違反につき、不掲載））、ＰＣ、ノートブック型コンピュータは、ネットワーク接続モジュールのＵＳＢインタフェースとされたネットワーク接続インタフェースと接続可能で、ＵＳＢインタフェース及び又は信号回路を介して、ＷｉＦｉ通信を行ない、モバイル保存モジュール内部のメモリカード及び又は外部のメモリカードとデータの読み取り或いは書込み或いは交互保存の動作を行うか、或いは、ＵＳＢドライブ、ハンドヘルド式電子装置（たとえば携帯電話、（公序良俗違反につき、不掲載））、ＰＣ、ノートブック型コンピュータのデータを、ＲＪ−４５インタフェースを介して、インターネットに伝送する。
【考案の効果】
【００１２】
本考案の電子装置は、整合サービス環境において応用され、使用者は該電子装置を利用するだけでネットワークとの接続、モバイル電源供給、及びモバイル保存の整合性サービスを享受でき、ネットワークモバイル装置、モバイル電源装置、及びモバイル保存ディスクを携帯する必要がなく、言い換えると、本考案の電子装置はネットワークとの接続、モバイル電源供給、及びモバイル保存機能を提供できる。
【図面の簡単な説明】
【００１３】
【図１】本考案の電子装置の構造表示図である。
【図２】本考案の電子装置の実施例表示図である。
【考案を実施するための形態】
【００１４】
本考案の技術内容、構造特徴、達成する目的を詳細に説明するため、以下に実施例を挙げ並びに図面を組み合わせて説明する。
【００１５】
図１は本考案の電子装置の表示図であり、本考案の電子装置の構造を示す。図１に示されるように、本考案の電子装置１は、ネットワーク接続モジュール２、電源供給モジュール３、及びモバイル保存モジュール４を包含する。
【００１６】  該ネットワーク接続モジュール２は、信号回路２１、及びネットワーク接続インタフェース２２を包含する。該信号回路２１はＷｉＦｉ通信機能を提供でき、ネットワーク接続インタフェース２２は有線ネットワークとの接続に用いられる。そのうち、該ネットワーク接続インタフェース２２は、たとえばＲＪ−４５インタフェースとされ、該ネットワーク接続モジュール２はインターネットに接続可能である。該信号回路２１は並びにＲＪ−４５インタフェースを介して信号をワイヤレスＷｉＦｉ信号に変換し、並びに発射／受信する。また、ＵＳＢドライブ、ハンドヘルド式電子装置（たとえば携帯電話、（公序良俗違反につき、不掲載））、ＰＣ、ノートブック型コンピュータのデータを、ＲＪ−４５インタフェースを介してインターネットに伝送することができる。また、たとえば、ネットワーク接続インタフェース２２はＵＳＢインタフェースとされ、ＵＳＢドライブを接続し、ＵＳＢインタフェース及び又は信号回路２１を介してＷｉＦｉ通信を実行し、ＵＳＢドライブとデータの読み取り或いは書込み動作を行える。
【００１７】
電源供給モジュール３は、該電源供給モジュール３の入力インタフェース３１が外部電源と接続可能で、外部電源の１１０Ｖから２４０Ｖの交流電源を利用し、入力インタフェース３１を介して、該電源供給モジュール３に対して充電を行ない、充電後に交流電源に接続しない時、電源をネットワーク接続モジュール２、及びモバイル保存モジュール４に提供する。
【００１８】  入力インタフェース３１が入力する交流電源が導通するとき、該電源供給モジュール３は入力した交流電源を直流電源に変換し、電池に対して充電／電源保存し、並びにＬＥＤランプを利用して電池電源の余剰状況を表示し、或いはネットワーク接続モジュール２のＵＳＢインタフェースとされたネットワーク接続インタフェース２２を介して、該ネットワーク接続インタフェース２２（ＵＳＢインタフェース）と接続されたその他の電源を必要とするハンドヘルド式電子装置（たとえば、携帯電話、（公序良俗違反につき、不掲載））に対して充電を行う。
【００１９】
また、入力インタフェース３１は選択可能な機能とされ、言い換えると、電源供給モジュール３は必ずしも入力インタフェース３１を具備する必要はなく、ネットワーク接続モジュール２のＵＳＢインタフェースとされたネットワーク接続インタフェース２２を利用することで、充電動作を行える。
【００２０】  モバイル保存モジュール４は、メモリカードスロット４１及び又はメモリカード４２を具え、その内部のメモリカード４２及び又は外部のメモリカードに対してデータの読み取り或いは書込みの動作を行う。また、ＵＳＢドライブ、ハンドヘルド式電子装置（たとえば携帯電話、（公序良俗違反につき、不掲載））、ＰＣ、ノートブック型コンピュータは、ネットワーク接続モジュール２のＵＳＢインタフェースとされたネットワーク接続インタフェース２２と接続可能で、ＵＳＢインタフェース及び又は信号回路２１を介して、ＷｉＦｉ通信を行ない、モバイル保存モジュール４内部のメモリカード４２及び又は外部のメモリカードとデータの読み取り或いは書込み或いは交互保存の動作を行うか、或いは、ＵＳＢドライブ、ハンドヘルド式電子装置（たとえば携帯電話、（公序良俗違反につき、不掲載））、ＰＣ、ノートブック型コンピュータのデータを、ＲＪ−４５インタフェースを介して、インターネットに伝送する。
【００２１】
図２は、本考案の電子装置の実施例を表示する。図２に示されるように、本考案の電子装置１は、ネットワーク接続モジュール２、電源供給モジュール３、及びモバイル保存モジュール４を包含する。
【００２２】
該ネットワーク接続モジュール２は、信号回路２１、及びネットワーク接続インタフェース２２を包含し、該信号回路２１はＷｉＦｉ通信機能を提供でき、ネットワーク接続インタフェース２２は有線ネットワークとの接続に用いられる。そのうち、該ネットワーク接続インタフェース２２は、たとえばＲＪ−４５インタフェースとされ、該ネットワーク接続モジュール２はインターネットに接続可能である。該信号回路２１は並びにＲＪ−４５インタフェースを介して信号２００をワイヤレスＷｉＦｉ信号２１０に変換し、並びに発射／受信する。また、ＵＳＢドライブ５１は、ネットワーク接続インタフェース２２（ＲＪ−４５インタフェース）を介してデータ３００をインターネット６に伝送することができる。また、たとえば、ネットワーク接続インタフェース２２はＵＳＢインタフェースとされ、ＵＳＢドライブを接続でき、ネットワーク接続インタフェース２２（ＵＳＢインタフェース）及び又は信号回路２１を介してＷｉＦｉ通信を実行し、ＵＳＢドライブとデータの読み取り或いは書込み動作を行える。
【００２３】
電源供給モジュール３は、該電源供給モジュール３の入力インタフェース３１が外部電源と接続可能で、外部電源の１１０Ｖから２４０Ｖの交流電源を利用し、入力インタフェース３１を介して、該電源供給モジュール３に対して充電を行ない、充電後に交流電源に接続しない時、電源をネットワーク接続モジュール２、及びモバイル保存モジュール４に提供する。
【００２４】  入力インタフェース３１が入力する交流電源が導通するとき、該電源供給モジュール３は入力した交流電源を直流電源に変換し、電池に対して充電／電源保存し、並びにＬＥＤランプを利用して電池電源の余剰状況を表示し、或いはネットワーク接続モジュール２のＵＳＢインタフェースとされたネットワーク接続インタフェース２２を介して、該ネットワーク接続インタフェース２２（ＵＳＢインタフェース）と接続されたその他の電源を必要とするハンドヘルド式電子装置（たとえば、携帯電話、（公序良俗違反につき、不掲載））に対して充電を行う。
【００２５】
また、入力インタフェース３１は選択可能な機能とされ、言い換えると、電源供給モジュール３は必ずしも入力インタフェース３１を具備する必要はなく、ネットワーク接続モジュール２のＵＳＢインタフェースとされたネットワーク接続インタフェース２２を利用することで、充電動作を行える。
【００２６】  モバイル保存モジュール４は、メモリカードスロット４１及び又はメモリカード４２を具え、その内部のメモリカード４２及び又は外部のメモリカード８に対してデータの読み取り或いは書込みの動作を行う。また、ＵＳＢドライブ５１、ハンドヘルド式電子装置５２（たとえば携帯電話、（公序良俗違反につき、不掲載））はネットワーク接続モジュール２のＵＳＢインタフェースとされたネットワーク接続インタフェース２２と接続可能で、ネットワーク接続インタフェース２２（ＵＳＢインタフェース）及び又は信号回路２１を介して、ＷｉＦｉ通信を行ない、モバイル保存モジュール４内部のメモリカード４２及び又は外部のメモリカード８とデータの読み取り或いは書込み或いは交互保存の動作を行うか、或いは、ＵＳＢドライブ５１、ハンドヘルド式電子装置５２（たとえば携帯電話、（公序良俗違反につき、不掲載））のデータ３００を、ＲＪ−４５インタフェースを介して、インターネット６に伝送する。
【００２７】
以上の実施例をまとめると、本考案の電子装置は、整合サービス環境において応用され、使用者は該電子装置を利用するだけでネットワークとの接続、モバイル電源供給、及びモバイル保存の整合性サービスを享受でき、ネットワークモバイル装置、モバイル電源装置、及びモバイル保存ディスクをそれぞれ携帯する必要がなく、言い換えると、本考案の電子装置はネットワークとの接続、モバイル電源供給、及びモバイル保存機能を提供できる。
【００２８】
本考案の電子装置は、以下の長所を有している。
１．整合サービス環境中に応用されて、使用者は該電子装置を利用するだけで、ネットワークとの接続、モバイル電源供給、及びモバイル保存の整合性サービスを享受できる。
２．使用者は複数の電子装置を利用しなくとも、整合性サービスを享受できる。
【００２９】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求範囲のカバーする範囲内に属するものとする。
【符号の説明】
【００３０】
１  電子装置
２  ネットワーク接続モジュール
３  電源供給モジュール
４  モバイル保存モジュール
６  インターネット
７  外部電源
８  外部のメモリカード
２１  信号回路
２２  ネットワーク接続インタフェース
３１  入力インタフェース
４１  メモリカードスロット
４２  メモリカード
５１  ＵＳＢドライブ
５２  ハンドヘルド式電子装置
２００  信号
２１０  信号
３００  データ
【図１】
0003177863.tif 000003
【図２】
0003177863.tif 000004
【手続補正書】
【提出日】平成24年6月18日(2012.6.18)
【手続補正１】
【補正対象書類名】明細書
【補正対象項目名】全文
【補正方法】変更
【補正の内容】
【考案の詳細な説明】
【技術分野】
【０００１】
本考案は電子装置に係り、更に詳しくは、一種の、サービス統合環境において応用される電子装置であって、使用者が該電子装置を利用するだけでネットワークとの接続、モバイル電源供給、及びモバイル保存の統合されたサービスを享受できるものに関する。
【背景技術】
【０００２】
現在、使用者はモバイル式電子装置を使用する時には、必要な機能により、必要な電子装置を選択する必要がある。たとえば、使用者がモバイル電源供給要求を有するときは、モバイル電源装置を携行する必要があり、また、使用者がネットワークアクセスを必要とするときは、ネットワーク接続装置を配備することで、その要求を満足させる。さらに、使用者がモバイルデータ保存要求を有するときは、モバイル保存装置、たとえばモバイルディスクを具備する必要がある。
【０００３】
言い換えると、現在の電子装置に関しては、ネットワーク接続サービス、モバイル電源供給サービス、及びモバイル保存サービスを整合させた電子装置は未だなく、各電子装置はそれ自身の単一の機能しか有さず、使用者は複数の電子装置を携行しなければ、要求を満たすことができない。ただし、このような状況は、使用者にとって非常に不便である。
【０００４】
ゆえに、使用者が、ネットワーク接続、モバイル電源供給、及びモバイル保存の統合されたサービスを得るために使用でき、複数の電子装置を携行する必要を無くせる電子装置が求められている。
【考案の概要】
【考案が解決しようとする課題】
【０００５】
本考案は一種の電子装置を提供することを目的とし、それは、サービス統合環境において応用され、使用者が該電子装置を使用することで、ネットワーク接続、モバイル電源供給、及びモバイル保存の統合されたサービスを得られるものとする。
【課題を解決するための手段】
【０００６】
以上の目的を達成するため、本考案の提供する電子装置は、ネットワーク接続モジュール、電源供給モジュール、及びモバイル保存モジュールを包含する。
【０００７】
該ネットワーク接続モジュールは、信号回路、及びネットワーク接続インタフェースを包含し、該信号回路はＷｉＦｉ通信機能を提供でき、ネットワーク接続インタフェースは有線ネットワークとの接続に用いられる。そのうち、該ネットワーク接続インタフェースは、たとえばＲＪ−４５インタフェースとされ、該ネットワーク接続モジュールはインターネットに接続可能である。該信号回路は並びにＲＪ−４５インタフェースを介して信号をワイヤレスＷｉＦｉ信号に変換し、並びに発射／受信する。また、ＵＳＢドライブ、ハンドヘルド式電子装置（たとえば携帯電話、タブレット型コンピューター）、ＰＣ、ノートブック型コンピュータのデータを、ＲＪ−４５インタフェースを介してインターネットに伝送することができる。また、たとえば、ネットワーク接続インタフェースはＵＳＢインタフェースとされ、ＵＳＢドライブを接続し、ＵＳＢインタフェース及び又は信号回路を介してＷｉＦｉ通信を実行し、ＵＳＢドライブとデータの読み取り或いは書込み動作を行える。
【０００８】
電源供給モジュールは、該電源供給モジュールの入力インタフェースが外部電源と接続可能で、外部電源の１１０Ｖから２４０Ｖの交流電源を利用し、入力インタフェースを介して、該電源供給モジュールに対して充電を行ない、充電後に交流電源に接続しない時、電源をネットワーク接続モジュール、及びモバイル保存モジュールに提供する。
【０００９】
入力インタフェースが入力する交流電源が導通するとき、該電源供給モジュールは入力した交流電源を直流電源に変換し、電池に対して充電／電源保存し、並びにＬＥＤランプを利用して電池電源の余剰状況を表示し、或いはネットワーク接続モジュールのＵＳＢインタフェースとされたネットワーク接続インタフェースを介して、該ネットワーク接続インタフェース（ＵＳＢインタフェース）と接続されたその他の電源を必要とするハンドヘルド式電子装置（たとえば、携帯電話、タブレット型コンピューター）に対して充電を行う。
【００１０】
また、入力インタフェースは選択可能な機能とされ、言い換えると、電源供給モジュールは必ずしも入力インタフェースを具備する必要はなく、ネットワーク接続モジュールのＵＳＢインタフェースとされたネットワーク接続インタフェースを利用することで、充電動作を行える。
【００１１】
モバイル保存モジュールは、メモリカードスロット及び又はメモリカードを具え、その内部のメモリカード及び又は外部のメモリカードに対してデータの読み取り或いは書込みの動作を行う。また、ＵＳＢドライブ、ハンドヘルド式電子装置（たとえば携帯電話、タブレット型コンピューター）、ＰＣ、ノートブック型コンピュータは、ネットワーク接続モジュールのＵＳＢインタフェースとされたネットワーク接続インタフェースと接続可能で、ＵＳＢインタフェース及び又は信号回路を介して、ＷｉＦｉ通信を行ない、モバイル保存モジュール内部のメモリカード及び又は外部のメモリカードとデータの読み取り或いは書込み或いは交互保存の動作を行うか、或いは、ＵＳＢドライブ、ハンドヘルド式電子装置（たとえば携帯電話、タブレット型コンピューター）、ＰＣ、ノートブック型コンピュータのデータを、ＲＪ−４５インタフェースを介して、インターネットに伝送する。
【考案の効果】
【００１２】
本考案の電子装置は、サービス統合環境において応用され、使用者は該電子装置を利用するだけでネットワークとの接続、モバイル電源供給、及びモバイル保存の統合されたサービスを享受でき、ネットワークモバイル装置、モバイル電源装置、及びモバイル保存ディスクを携帯する必要がなく、言い換えると、本考案の電子装置はネットワークとの接続、モバイル電源供給、及びモバイル保存機能を提供できる。
【図面の簡単な説明】
【００１３】
【図１】本考案の電子装置の構造表示図である。
【図２】本考案の電子装置の実施例表示図である。
【考案を実施するための形態】
【００１４】
本考案の技術内容、構造特徴、達成する目的を詳細に説明するため、以下に実施例を挙げ並びに図面を組み合わせて説明する。
【００１５】
図１は本考案の電子装置の表示図であり、本考案の電子装置の構造を示す。図１に示されるように、本考案の電子装置１は、ネットワーク接続モジュール２、電源供給モジュール３、及びモバイル保存モジュール４を包含する。
【００１６】
該ネットワーク接続モジュール２は、信号回路２１、及びネットワーク接続インタフェース２２を包含する。該信号回路２１はＷｉＦｉ通信機能を提供でき、ネットワーク接続インタフェース２２は有線ネットワークとの接続に用いられる。そのうち、該ネットワーク接続インタフェース２２は、たとえばＲＪ−４５インタフェースとされ、該ネットワーク接続モジュール２はインターネットに接続可能である。該信号回路２１は並びにＲＪ−４５インタフェースを介して信号をワイヤレスＷｉＦｉ信号に変換し、並びに発射／受信する。また、ＵＳＢドライブ、ハンドヘルド式電子装置（たとえば携帯電話、タブレット型コンピューター）、ＰＣ、ノートブック型コンピュータのデータを、ＲＪ−４５インタフェースを介してインターネットに伝送することができる。また、たとえば、ネットワーク接続インタフェース２２はＵＳＢインタフェースとされ、ＵＳＢドライブを接続し、ＵＳＢインタフェース及び又は信号回路２１を介してＷｉＦｉ通信を実行し、ＵＳＢドライブとデータの読み取り或いは書込み動作を行える。
【００１７】
電源供給モジュール３は、該電源供給モジュール３の入力インタフェース３１が外部電源と接続可能で、外部電源の１１０Ｖから２４０Ｖの交流電源を利用し、入力インタフェース３１を介して、該電源供給モジュール３に対して充電を行ない、充電後に交流電源に接続しない時、電源をネットワーク接続モジュール２、及びモバイル保存モジュール４に提供する。
【００１８】
入力インタフェース３１が入力する交流電源が導通するとき、該電源供給モジュール３は入力した交流電源を直流電源に変換し、電池に対して充電／電源保存し、並びにＬＥＤランプを利用して電池電源の余剰状況を表示し、或いはネットワーク接続モジュール２のＵＳＢインタフェースとされたネットワーク接続インタフェース２２を介して、該ネットワーク接続インタフェース２２（ＵＳＢインタフェース）と接続されたその他の電源を必要とするハンドヘルド式電子装置（たとえば、携帯電話、タブレット型コンピューター）に対して充電を行う。
【００１９】
また、入力インタフェース３１は選択可能な機能とされ、言い換えると、電源供給モジュール３は必ずしも入力インタフェース３１を具備する必要はなく、ネットワーク接続モジュール２のＵＳＢインタフェースとされたネットワーク接続インタフェース２２を利用することで、充電動作を行える。
【００２０】
モバイル保存モジュール４は、メモリカードスロット４１及び又はメモリカード４２を具え、その内部のメモリカード４２及び又は外部のメモリカードに対してデータの読み取り或いは書込みの動作を行う。また、ＵＳＢドライブ、ハンドヘルド式電子装置（たとえば携帯電話、タブレット型コンピューター）、ＰＣ、ノートブック型コンピュータは、ネットワーク接続モジュール２のＵＳＢインタフェースとされたネットワーク接続インタフェース２２と接続可能で、ＵＳＢインタフェース及び又は信号回路２１を介して、ＷｉＦｉ通信を行ない、モバイル保存モジュール４内部のメモリカード４２及び又は外部のメモリカードとデータの読み取り或いは書込み或いは交互保存の動作を行うか、或いは、ＵＳＢドライブ、ハンドヘルド式電子装置（たとえば携帯電話、タブレット型コンピューター）、ＰＣ、ノートブック型コンピュータのデータを、ＲＪ−４５インタフェースを介して、インターネットに伝送する。
【００２１】
図２は、本考案の電子装置の実施例を表示する。図２に示されるように、本考案の電子装置１は、ネットワーク接続モジュール２、電源供給モジュール３、及びモバイル保存モジュール４を包含する。
【００２２】
該ネットワーク接続モジュール２は、信号回路２１、及びネットワーク接続インタフェース２２を包含し、該信号回路２１はＷｉＦｉ通信機能を提供でき、ネットワーク接続インタフェース２２は有線ネットワークとの接続に用いられる。そのうち、該ネットワーク接続インタフェース２２は、たとえばＲＪ−４５インタフェースとされ、該ネットワーク接続モジュール２はインターネットに接続可能である。該信号回路２１は並びにＲＪ−４５インタフェースを介して信号２００をワイヤレスＷｉＦｉ信号２１０に変換し、並びに発射／受信する。また、ＵＳＢドライブ５１は、ネットワーク接続インタフェース２２（ＲＪ−４５インタフェース）を介してデータ３００をインターネット６に伝送することができる。また、たとえば、ネットワーク接続インタフェース２２はＵＳＢインタフェースとされ、ＵＳＢドライブを接続でき、ネットワーク接続インタフェース２２（ＵＳＢインタフェース）及び又は信号回路２１を介してＷｉＦｉ通信を実行し、ＵＳＢドライブとデータの読み取り或いは書込み動作を行える。
【００２３】
電源供給モジュール３は、該電源供給モジュール３の入力インタフェース３１が外部電源と接続可能で、外部電源の１１０Ｖから２４０Ｖの交流電源を利用し、入力インタフェース３１を介して、該電源供給モジュール３に対して充電を行ない、充電後に交流電源に接続しない時、電源をネットワーク接続モジュール２、及びモバイル保存モジュール４に提供する。
【００２４】
入力インタフェース３１が入力する交流電源が導通するとき、該電源供給モジュール３は入力した交流電源を直流電源に変換し、電池に対して充電／電源保存し、並びにＬＥＤランプを利用して電池電源の余剰状況を表示し、或いはネットワーク接続モジュール２のＵＳＢインタフェースとされたネットワーク接続インタフェース２２を介して、該ネットワーク接続インタフェース２２（ＵＳＢインタフェース）と接続されたその他の電源を必要とするハンドヘルド式電子装置（たとえば、携帯電話、タブレット型コンピューター）に対して充電を行う。
【００２５】
また、入力インタフェース３１は選択可能な機能とされ、言い換えると、電源供給モジュール３は必ずしも入力インタフェース３１を具備する必要はなく、ネットワーク接続モジュール２のＵＳＢインタフェースとされたネットワーク接続インタフェース２２を利用することで、充電動作を行える。
【００２６】
モバイル保存モジュール４は、メモリカードスロット４１及び又はメモリカード４２を具え、その内部のメモリカード４２及び又は外部のメモリカード８に対してデータの読み取り或いは書込みの動作を行う。また、ＵＳＢドライブ５１、ハンドヘルド式電子装置５２（たとえば携帯電話、タブレット型コンピューター）はネットワーク接続モジュール２のＵＳＢインタフェースとされたネットワーク接続インタフェース２２と接続可能で、ネットワーク接続インタフェース２２（ＵＳＢインタフェース）及び又は信号回路２１を介して、ＷｉＦｉ通信を行ない、モバイル保存モジュール４内部のメモリカード４２及び又は外部のメモリカード８とデータの読み取り或いは書込み或いは交互保存の動作を行うか、或いは、ＵＳＢドライブ５１、ハンドヘルド式電子装置５２（たとえば携帯電話、タブレット型コンピューター）のデータ３００を、ＲＪ−４５インタフェースを介して、インターネット６に伝送する。
【００２７】
以上の実施例をまとめると、本考案の電子装置は、サービス統合環境において応用され、使用者は該電子装置を利用するだけでネットワークとの接続、モバイル電源供給、及びモバイル保存の統合されたサービスを享受でき、ネットワークモバイル装置、モバイル電源装置、及びモバイル保存ディスクをそれぞれ携帯する必要がなく、言い換えると、本考案の電子装置はネットワークとの接続、モバイル電源供給、及びモバイル保存機能を提供できる。
【００２８】
本考案の電子装置は、以下の長所を有している。
１．サービス統合環境中に応用されて、使用者は該電子装置を利用するだけで、ネットワークとの接続、モバイル電源供給、及びモバイル保存の統合されたサービスを享受できる。
２．使用者は複数の電子装置を利用しなくとも、統合されたサービスを享受できる。
【００２９】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求範囲のカバーする範囲内に属するものとする。
【符号の説明】
【００３０】
１  電子装置
２  ネットワーク接続モジュール
３  電源供給モジュール
４  モバイル保存モジュール
６  インターネット
７  外部電源
８  外部のメモリカード
２１  信号回路
２２  ネットワーク接続インタフェース
３１  入力インタフェース
４１  メモリカードスロット
４２  メモリカード
５１  ＵＳＢドライブ
５２  ハンドヘルド式電子装置
２００  信号
２１０  信号
３００  データ
【手続補正２】
【補正対象書類名】実用新案登録請求の範囲
【補正対象項目名】全文
【補正方法】変更
【補正の内容】
【実用新案登録請求の範囲】
【請求項１】
サービス統合環境において応用される電子装置において、
ネットワーク接続モジュールであって、信号回路、及び、ＲＪ−４５インタフェース及びＵＳＢインタフェースとされるネットワーク接続インタフェースを包含し、該信号回路はＷｉＦｉ通信機能を提供でき、ＲＪ−４５インタフェースとされた該ネットワーク接続インタフェースは有線ネットワークとの接続に用いられて、該ネットワーク接続モジュールはインターネットに接続可能であり、該信号回路は並びにＲＪ−４５インタフェースとされた該ネットワーク接続インタフェースを介して信号をワイヤレスＷｉＦｉ信号に変換し、並びに発射／受信する、上記ネットワーク接続モジュールと、
電源供給モジュールであって、該ネットワーク接続モジュールのＵＳＢインタフェースとされた該ネットワーク接続インタフェースを利用して充電動作し、充電後に外部電源に接続されない時、電源を該ネットワーク接続モジュール、及びモバイル保存モジュールに供給する、上記電源供給モジュールと、
モバイル保存モジュールであって、メモリカードスロット及び又は内部メモリカードを具え、該内部メモリカード及び又は外部のメモリカードに対してデータの読み取り或いは書込み動作を行う、上記モバイル保存モジュールと、
を包含することを特徴とする、電子装置。
【請求項２】
請求項１記載の電子装置において、ＵＳＢドライブが、該ネットワーク接続モジュールのＵＳＢインタフェースとされた該ネットワーク接続インタフェースに接続され、ＵＳＢインタフェースとされた該ネットワーク接続インタフェースを介して、該モバイル保存モジュールの該内部メモリカード及び又は該外部のメモリカードとデータの読み取り或いは書込み或いは交互保存の動作を行うことを特徴とする、電子装置。
【請求項３】
請求項１記載の電子装置において、ハンドヘルド式電子装置が、該ネットワーク接続モジュールのＵＳＢインタフェースとされた該ネットワーク接続インタフェースに接続され、ＵＳＢインタフェースとされた該ネットワーク接続インタフェースを介して及び又は該信号回路を介して、ＷｉＦｉ通信を行ない、該モバイル保存モジュールの該内部メモリカード及び又は該外部のメモリカードとデータの読み取り或いは書込み或いは交互保存の動作を行うことを特徴とする、電子装置。
【請求項４】
請求項２記載の電子装置において、該ＵＳＢドライブが、ＲＪ−４５インタフェースとされた該ネットワーク接続インタフェースを介してデータをインターネットに伝送し、ＵＳＢインタフェースとされた該ネットワーク接続インタフェースを介して及び又は該信号回路を介してＷｉＦｉ通信を行ない、該ＵＳＢドライブに対してデータの読み取り或いは書込み動作を行うことを特徴とする、電子装置。
【請求項５】
請求項３記載の電子装置において、該ハンドヘルド式電子装置が、ＲＪ−４５インタフェースとされた該ネットワーク接続インタフェースを介してデータをインターネットに伝送し、ＵＳＢインタフェースとされた該ネットワーク接続インタフェースを介して及び又は該信号回路を介してＷｉＦｉ通信を行ない、該モバイル保存モジュールの該内部メモリカード及び又は該外部のメモリカードと、データの読み取り或いは書込み或いは交互保存の動作を行うことを特徴とする、電子装置。
【請求項６】
サービス統合環境において応用される電子装置において、
ネットワーク接続モジュールであって、信号回路、及び、ＲＪ−４５インタフェース及びＵＳＢインタフェースとされるネットワーク接続インタフェースを包含し、該信号回路はＷｉＦｉ通信機能を提供でき、ＲＪ−４５インタフェースとされた該ネットワーク接続インタフェースは有線ネットワークとの接続に用いられて、該ネットワーク接続モジュールはインターネットに接続可能であり、該信号回路はＲＪ−４５インタフェースとされた該ネットワーク接続インタフェースを介して信号をワイヤレスＷｉＦｉ信号に変換し、並びに発射／受信する、上記ネットワーク接続モジュールと、
電源供給モジュールであって、該電源供給モジュールの入力インタフェースが外部電源と接続可能で、該外部電源の交流電源を利用し、該入力インタフェースを介して該電源供給モジュールに対して充電し、充電後に外部電源に接続されない時、電源を該ネットワーク接続モジュール、及びモバイル保存モジュールに供給する、上記電源供給モジュールと、
モバイル保存モジュールであって、メモリカードスロット及び又は内部メモリカードを具え、該内部メモリカード及び又は外部のメモリカードに対してデータの読み取り或いは書込み動作を行う、上記モバイル保存モジュールと、
を包含することを特徴とする、電子装置。
【請求項７】
請求項６記載の電子装置において、ＵＳＢドライブが、該ネットワーク接続モジュールのＵＳＢインタフェースとされた該ネットワーク接続インタフェースに接続され、ＵＳＢインタフェースとされた該ネットワーク接続インタフェースを介して、該モバイル保存モジュールの該内部メモリカード及び又は該外部のメモリカードとデータの読み取り或いは書込み或いは交互保存の動作を行い、該入力インタフェースを介して入力される該交流電源が導通する時、該電源供給モジュールは入力した該交流電源を直流電源に変換し、電池に対して充電又は電源保存を行ない、並びにＬＥＤランプを利用して該電池の電源の余剰状況を表示することを特徴とする、電子装置。
【請求項８】
請求項６記載の電子装置において、ハンドヘルド式電子装置が、該ネットワーク接続モジュールのＵＳＢインタフェースとされた該ネットワーク接続インタフェースに接続され、ＵＳＢインタフェースとされた該ネットワーク接続インタフェースを介して及び又は該信号回路を介して、ＷｉＦｉ通信を行ない、該モバイル保存モジュールの該内部メモリカード及び又は該外部のメモリカードとデータの読み取り或いは書込み或いは交互保存の動作を行い、該入力インタフェースを介して入力される該交流電源が導通する時、該電源供給モジュールは入力した該交流電源を直流電源に変換し、電池に対して充電又は電源保存を行ない、並びにＬＥＤランプを利用して該電池の電源の余剰状況を表示するか、該ネットワーク接続モジュールのＵＳＢインタフェースとされた該ネットワーク接続インタフェースを介して、接続された該ハンドヘルド式電子装置に対して充電することを特徴とする、電子装置。
【請求項９】
請求項７記載の電子装置において、該ＵＳＢドライブはＲＪ−４５インタフェースとされた該ネットワーク接続インタフェースを介して、データをインターネットに伝送し、ＵＳＢインタフェースとされた該ネットワーク接続インタフェースを介して及び又は信号回路を介してＷｉＦｉ通信を行ない、ＵＳＢドライブに対してデータの読み取り或いは書込み動作を行うことを特徴とする、電子装置。
【請求項１０】
請求項８記載の電子装置において、該ハンドヘルド式電子装置はＲＪ−４５インタフェースとされた該ネットワーク接続インタフェースを介して、データをインターネットに伝送し、ＵＳＢインタフェースとされた該ネットワーク接続インタフェースを介して及び又は信号回路を介してＷｉＦｉ通信を行ない、該モバイル保存モジュールの該内部メモリカード及び又は該外部のメモリカードに対して、データの読み取り或いは書込み或いは交互保存の動作を行うことを特徴とする、電子装置。